(57)【要約】【課題】  側溝本体の段差部分の立壁と溝蓋の間にゴミ等の夾雑物が詰まるを解消して、メンテナンスで溝蓋の蓋を開けやすくし、さらに景観向上,衛生向上にも貢献する嵩上げ部材付き溝蓋を提供する。【解決手段】  平面視長方形の盤状体にして、上下方向に貫通するスリットＯが複数設けられた溝蓋１と、該溝蓋１の長手方向の下面両側に固定部材３の長板部３０が固着され、且つ該長板部３０の下面に支脚４が所定間隔をあけて複数立設した嵩上げ部材２と、を具備し、該嵩上げ部材２の横断方向に通水性が確保されてなる。【選択図】  図１
2007277832.tif 000002
【特許請求の範囲】
【請求項１】
平面視長方形の盤状体にして、上下方向に貫通するスリットが複数設けられた溝蓋(1)と、該溝蓋の長手方向の下面両側に固定部材の長板部が固着され、且つ該長板部の下面に支脚が所定間隔をあけて複数立設した嵩上げ部材(2)と、を具備し、該嵩上げ部材の横断方向に通水性が確保されたことを特徴とする嵩上げ部材付き溝蓋。
【請求項２】
前記長板部に透孔が複数穿設された固定部材を用いる請求項１記載の嵩上げ部材付き溝蓋。
【請求項３】
下板上に前記各支脚が固着された金属製嵩上げ部材とする請求項１又は２に記載の嵩上げ部材付き溝蓋。
【請求項４】
前記嵩上げ部材をベース板が受け支え、且つ該ベース板を水平外方に延設し、さらにその延設したベース板上に、前記溝蓋の両側で溝蓋長手方向に沿わせて配設される側板と所定隙間を設けて該側板と並行なる立板部を備える補助部材(62)を、さらに具備する請求項１乃至３のいずれかに記載の嵩上げ部材付き溝蓋。
【発明の詳細な説明】
【技術分野】
【０００１】
本発明は、排水溝の開口等に覆着される嵩上げ部材付き溝蓋に関する。
【背景技術】
【０００２】
溝蓋の種類の一つに、図１０(イ)〜(ハ)のごとく側溝本体９の段差受部９２１に載置したときに、溝蓋上面ｅ０を側溝本体９の上面９ａに合わせられるよう溝蓋ｅの下面両側に嵩上げ部材ｆを取着した嵩上げ部材付き溝蓋がある。
この嵩上げ部材付き溝蓋に関しては、側溝本体９の段差受部９２１の形状が異なるものにも適用できる技術等が提案されている（例えば特許文献１）。
【０００３】
【特許文献１】特開２００４−２５０９４９公報
【０００４】
ここで、特許文献１をはじめとする従来の嵩上げ部材付き溝蓋には、横断面コ字形や、角パイプ,鋼板をロール加工したり押出し成形加工したりした長手方向等断面形状の嵩上げ部材ｆが用いられていた。また、嵩上げ部材ｆは溝蓋ｅの下面長手方向に溝蓋ｅとほぼ同じ長さで配設されていた。
【発明の開示】
【発明が解決しようとする課題】
【０００５】
しかるに、溝蓋ｅは水はけを良くするために設置され、雨水が流れ込むところであり、嵩上げ部材付き溝蓋は、水と一緒に運ばれるゴミや土等の夾雑物が図１０のごとく、溝蓋ｅと側溝本体９の段差立壁９２２との隙間εに入り易かった。側溝本体９の段差受部９２２に載った嵩上げ部材２ｆが、夾雑物の出口をなくし塞ぎ止めていることから、側溝本体の段差立壁９２２と溝蓋ｅ,嵩上げ部材２ｆの間εにゴミ等の夾雑物が溜まる一方になっていた。加えて、時間が経つと、その間に詰まった夾雑物が乾燥して固まり、メンテナンス等で溝蓋ｅの取り外し作業を困難なものにした。
さらに、隙間εに夾雑物が溜まると、平らな道路面ＧＬ上の側溝本体９と溝蓋ｅの周りにゴミが堆積し、その姿は掃除が行きとどいていない印象を与え街並みの景観を損ね、また衛生上からも好ましくなかった。
【０００６】
本発明は上記問題点を解決するもので、側溝本体の段差部分の立壁と溝蓋の間にゴミ等の夾雑物が詰まるを解消して、メンテナンスで溝蓋の蓋を開けやすくし、さらに景観向上,衛生向上にも貢献する嵩上げ部材付き溝蓋を提供することを目的とする。
【課題を解決するための手段】
【０００７】
上記目的を達成すべく、請求項１に記載の発明の要旨は、平面視長方形の盤状体にして、上下方向に貫通するスリットが複数設けられた溝蓋(1)と、該溝蓋の長手方向の下面両側に固定部材の長板部が固着され、且つ該長板部の下面に支脚が所定間隔をあけて複数立設した嵩上げ部材(2)と、を具備し、該嵩上げ部材の横断方向に通水性が確保されたことを特徴とする嵩上げ部材付き溝蓋にある。
請求項２の発明たる嵩上げ部材付き溝蓋は、請求項１で、長板部に透孔が複数穿設された固定部材を用いることを特徴とする。
請求項３の発明たる嵩上げ部材付き溝蓋は、請求項１又は２で、下板上に前記各支脚が固着された金属製嵩上げ部材とすることを特徴とする。
請求項４の発明たる嵩上げ部材付き溝蓋は、請求項１〜３で、嵩上げ部材をベース板が受け支え、且つ該ベース板を水平外方に延設し、さらにその延設したベース板上に、前記溝蓋の両側で溝蓋長手方向に沿わせて配設される側板と所定隙間を設けて該側板と並行なる立板部を備える補助部材(62)を、さらに具備することを特徴とする。
【０００８】
請求項１の発明のごとく、長板部の下面に支脚が所定間隔をあけて複数立設した嵩上げ部材(2)を具備し、該嵩上げ部材の横断方向に通水性が確保されると、溝蓋と側溝本体との隙間に入り込むゴミや土などの夾雑物も雨水に同伴して嵩上げ部材をくぐり抜けることができる。そして、夾雑物も雨水と一緒に側溝本体の流水溝へ移送される。側溝本体の段差部分の立壁と溝蓋の間にゴミ等の夾雑物が詰まらなくなる。その結果、メンテナンスで溝蓋の蓋を開けやすくなる。さらに溝蓋周囲の路面にゴミや土などが堆積することがなくなるので、景観向上,衛生向上にも貢献する。
請求項２の発明のごとく、長板部に透孔が複数穿設された固定部材が用いられると、溝蓋のスリットを通って流れ落ちる雨水等を透孔を通過させて落下させることができるので、水はけが一段と良くなる。
請求項３の発明のごとく、下板上に各支脚が固着された金属製嵩上げ部材とすると、支脚がより安定して嵩上げ部材内に組み込まれ、且つ嵩上げ部材の横断方向の通水性をより確実に確保できる。
請求項４の発明のごとく、嵩上げ部材をベース板が受け支え、且つ該ベース板を水平外方に延設し、さらにその延設したベース板上に、前記溝蓋の両側で溝蓋長手方向に沿わせて配設される側板と所定隙間を設けて該側板と並行なる立板部を備える補助部材(62)が設けられると、ゴミ等の夾雑物の通る隙間がより確実に形成され、ゴミ等の夾雑物が嵩上げ部材をくぐり抜けていく。
【発明の効果】
【０００９】
本発明の嵩上げ部材付き溝蓋は、側溝本体の段差部分の立壁と溝蓋の間にゴミ等の夾雑物が詰まるを解消して、メンテナンスで溝蓋の蓋を開けやすくするにとどまらず、側溝周りの路面にゴミ,土などが堆積して景観を悪くしていた不具合をなくし、且つ衛生向上にも貢献するなど優れた効果を発揮する。
【発明を実施するための最良の形態】
【００１０】
以下、本発明に係る嵩上げ部材付き溝蓋について詳述する。
（１）実施形態１
図１〜図３は本発明の嵩上げ部材付き溝蓋の一形態で、図１はその全体斜視図、図２は図１の正面図、図３は(イ)が図１の嵩上げ部材の部分拡大図で、(ロ),(ハ)が(イ)に代わる他態様図である。
【００１１】
嵩上げ部材付き溝蓋は溝蓋１と嵩上げ部材２とを具備する。
溝蓋１は平面視長方形にして、上下方向に貫通するスリットＯが複数設けられた盤状体である。ここでは複数の主部材１０とこれに直交する連結部材１１で組格子を形成して平面視長方形の盤状方形体とする。より詳しくは、複数の帯状主部材１０とこれに直交する棒状連結部材１１で組格子を形成すると共に各主部材１０の両側端の開口部分を側板１２で塞ぎ、平面視長方形の盤状にした金属製グレーチングである。多数の金属製帯板からなる主部材１０を互いに一定間隔を開けて配設して、これらと直交する金属製連結部材１１とで組格子を形成する。そしてそれらの主部材１０の両端面に金属製側板１２を当接させ固着する。組格子の形成によりスリットＯができる。具体的には、主部材１０の帯幅方向を上下にして、主部材１０間を所定ピッチで平行配設した後、これらの主部材１０上に複数の連結部材１１がクロス配設され、電気圧接により格子状グレーチングの溝蓋主部が形成される。その後、該溝蓋主部に係る主部材１０の両側端に側板を固着し溝蓋１たるグレーチングとする。図１中、斜め下の最前列の主部材１０及び斜め上の最後列の主部材１０は、側板１２と同じような当て部材で溝蓋主部の周囲を該当て部材と側板１２とで囲んで溝蓋１としてもよい。連結部材１１は通称クロスバーと呼ばれる金属製棒状材を捩ったツイストバーからなる。
【００１２】
溝蓋１は本実施形態品に限らず、例えば多数の縦桟と該縦桟に設けた通孔に横桟を通して、縦桟と横桟が直交する組格子を形成し、その周囲を一定幅の側板１２,当て部材で囲んで平面視長方形の盤状体たる溝蓋とすることもできる。
符号１２１は側板１２に設けられた突部で、溝蓋１の長手方向に向けて断続的に設けられる。突部１２１の形成によって、側溝本体９の上面開口に本嵩上げ部材付き溝蓋で蓋をしたときに、側板１２と側溝本体９に係る段差９２の立壁９２２との間に必ず隙間εが確保される。
【００１３】
嵩上げ部材２は側溝本体９の段差受部９２１に溝蓋１を直接置かずに嵩上げするもので、固定部材３と支脚４と下板５とを具備する。嵩上げ部材２は溝蓋１の長手方向の下面両側に固定部材３の長板部３０が固着され、且つ該長板部３０の下面に板片からなる支脚４が櫛歯状に所定間隔をあけて複数立設する複合部材である。
ここでの固定部材３は図１,図２に示すごとく側面視Ｌ形の等辺山形鋼の形鋼を使用する。溝蓋１の長手方向の下面両側で、一対の固定部材３を溝蓋１の長手方向全域に亘って側面視逆Ｌ字形に配設する。固定部材３に係る水平部分の長板部３０が溝蓋１に固着され、起立部分の垂下部３１を内側にして相対向させる。
【００１４】
支脚４は板片からなる。支脚４は起立状態にして且つ長板部３０と直交するよう配設し、図３(イ)のごとく側面視Ｌ形の固定部材３の内側に固着される。支脚４は図２に示すように、四角形の板片から側面視Ｌ字形の固定部材３の角部に対向する角部を斜めカットした正面視ほぼ五角形の板片とする。
固定部材３に支脚４を固着したとき、固定部材３の垂下部３１の下縁よりも支脚４が下方に突出しており、支脚４間で、垂下部下縁と支脚下縁との間に空きスペースＳ２が確保される。また水平外方に向いた支脚４の脚外端では、支脚４間に図３(イ)ごとくの空きスペースＳ１が確保されており、これら両空きスペースＳ１,Ｓ２によって、溝蓋１の長手方向の下面両側で長板部３０の下側に雨水や夾雑物の通り道が形成される。すなわち、嵩上げ部材２の横断方向に通水性が確保される。
支脚４の高さを側溝本体９の段差の高さに合わせれば、どの側溝本体９の仕様にも対応できる嵩上げ部材付き溝蓋になる。
【００１５】
下板５は固定部材３とほぼ同じ長さにして該固定部材３に平行配設される長尺部材で、支脚４の下端縁に固着される。下板５は長手方向等断面形状で、側面視図１〜図３に示すごとく逆Ｌ字形にした上片部の先端が延設され、その延設部は水平外方へ向けて上昇傾斜する。そして、前記支脚４の最下縁から水平外方へ向けて上昇傾斜カットされたその下縁部分が該下板上に当接し、該下板５と支脚４が一体化される。溝蓋１と側溝本体９の段差立壁９２２との間εに、水と一緒にゴミや土等の夾雑物が入り込んでも、下板５は前記上片部の先端から延びる延設部が水平外方へ向け上昇傾斜しているので、該夾雑物は側溝本体９内の流水溝ｕへ流れ落ち易くなっている。
下板５はなしにしてもよいが、下板５があれば、これと支脚４の一体化によって固定部材３の両サイドに空きスペースＳ１,Ｓ２が確実に形成され、また支脚４が安定した状態で固定部材３内に組み込まれることになる。
【００１６】
固定部材３は、本実施形態の図３(イ)のものに代えて、図３の(ロ)や(ハ)のように長板部３０に透孔３０ａを複数穿設したものとするとより好ましくなる。各支脚４間の長板部３０に透孔３０ａを設けると、溝蓋１のスリットＯを通過して落ちる雨水等がそのまま透孔３０ａを通過し、側溝本体９内の流水溝ｕへ流れ落ちるので水はけが一層良好になる。また透孔３０ａを設けると、固定部材３上にゴミ等の夾雑物が堆積することをも防止できる。
【００１７】
なお、前記下板５をなしにする代わりに、側溝本体９に係る段差の受部９２１に該下板５と同形の金属製ベース板６１を配設してもよい。斯かる場合、ベース板６１と固定部材３は一体化されてないので、側溝本体９に嵩上げ部材付き溝蓋を載置したとき、溝蓋１が安定するところまで支脚４がベース板６１上を滑り落ちる格好になり、嵩上げ部材付き溝蓋を側溝本体９にうまく密着させることができる。
【００１８】
このように構成した嵩上げ部材付き溝蓋は、溝蓋１と側溝本体９の段差立壁９２２との間εにゴミや土等の夾雑物が入り込んでも、間隔をあけて立設する支脚４が嵩上げ部材２の横断方向に抜け道を形成し通水性が確保されるので、ゴミ等の夾雑物は嵩上げ部材２内を雨水に同伴してここを通過し側溝本体９の流水溝ｕへ流れ落ちる。長板部３０の下面に支脚４が所定間隔をあけて複数立設し、且つ固定部材３の垂下部３１の下縁よりも支脚４が下方に突出して空きスペースＳ２が確保され、また水平外方を向いた支脚４の脚外端では、支脚４間に空きスペースＳ１が確保されているので、ゴミ等の夾雑物も雨水と一緒に嵩上げ部材２内を楽に通り抜けできる。
下板５と固定部材３との間に板片からなる支脚４を所定ピッチで起立させ、これらを一体化させた嵩上げ部材２を形成することで、側溝本体９の段差立壁９２２の側と側溝本体９の流水溝ｕの側とが導通する構造になる。このため、立壁９２２と溝蓋１との間εに落ちてくる水や夾雑物は嵩上げ部材２を潜り抜け、円滑に側溝本体の流水溝ｕへと流れ落ちる。雨天時の流水性を向上させ、ゴミや土などの夾雑物が隙間ε等に詰まるのを防ぐ。嵩上げ部材付き溝蓋はいつでも容易に取り外すことができる。
溝蓋１,嵩上げ部材２の間にゴミ等の夾雑物が溜まる一方になっていた従来の問題を解消し、さらに、時間が経つと、その間に詰まった夾雑物が乾燥して固まり、メンテナンス等で溝蓋１の取り外し作業を困難なものにしていた難題をも解決する。
【００１９】
加えて、地表面ＧＬで側溝本体９と溝蓋１との間εにゴミが堆積することがなくなり、これまで掃除が行きとどいていない印象を与え景観を損ねていた問題や衛生上からも好ましくなかった問題も一挙に解決される。このように、本嵩上げ部材付き溝蓋は側溝本体９の段差部分の立壁９２２と溝蓋１の間εにゴミ等の夾雑物が詰まるを解消し、またメンテナンスで溝蓋１の蓋を開けやすくし、景観向上,衛生向上にも貢献する優れた効果を発揮する。
【００２０】
ここで、側溝本体９の流水溝ｕに入り込んだゴミ等の夾雑物の回収方法が懸念されるが、例えば本出願人の特開2004-156366公報のゴミ除去用スクリーン付き溝蓋１を適宜設置することで、簡単に解決できる。スクリーンが取付けられた箇所にゴミ等の夾雑物を集めるので、極めて容易にして効率的な回収が可能になる。本嵩上げ部材付き溝蓋と上記ゴミ除去用スクリーン付き溝蓋１を組み合わせれば、道路に沿って長く連なる側溝本体９と溝蓋１との間に沿って堆積するゴミ回収や、溝蓋１,嵩上げ部材２の間に夾雑物が入り込み乾燥固化するゴミの回収と比較して、雨水の力でゴミを一カ所に集めて簡単且つ円滑に回収できるので、極めて合理的且つ効率的なものとなる。
【００２１】
（２）実施形態２
本実施形態は図４ごとくの嵩上げ部材付き溝蓋である。ここでの固定部材３は帯板からなり、長板部３０がそのまま固定部材３を形成する。他の構成は実施形態１と同様でその説明を省く。
このように構成した嵩上げ部材付き溝蓋は、実施形態１の効果に加え、垂下部３１がない分、空きスペースＳ２が大きくなり、溝蓋１と側溝本体９の段差立壁９２２との間εに入り込んだゴミ等の夾雑物が流水溝ｕへさらに流れ易くなる。
【００２２】
（３）実施形態３
本実施形態は図５ごとくの嵩上げ部材付き溝蓋である。ここでの支脚４は図示のごとく、四角形の形から側面視Ｌ形の固定部材３の角部に対向する角部を円弧形に膨らむようカットした正面視ほぼ１／４円形とする。下板５は図示のごとく垂下片部の上端から水平外方へ向け、支脚４の円弧形に合わせるようにして上昇傾斜する受け部を形成する。そして、前記支脚４の円弧形部分が該下板５の受け部上に載って、該下板５と支脚４が一体化される。固定部材３の垂下部３１の下縁よりも支脚４が下方に突出して空きスペースＳ２が確保され、また水平外方を向いた支脚４の脚外端では、支脚４間に空きスペースＳ１が確保される。下板５が垂下片部の上端から水平外方へ向けて上昇傾斜させているので、溝蓋１と側溝本体９の段差立壁９２２との間εに、水と一緒にゴミや土等の夾雑物が入り込んでも、この夾雑物は側溝本体９内の流水溝ｕへ円滑に流れ落ちていく。他の構成は実施形態１と同様でその説明を省く。
このように構成した嵩上げ部材付き溝蓋も、実施形態１の嵩上げ部材付き溝蓋と同様の作用,効果を発揮する。
【００２３】
（４）実施形態４
本実施形態は図６ごとくの嵩上げ部材付き溝蓋である。支脚４が図示のごとく側面視Ｌ字形の固定部材３の内側に固着される正面視四角形の板片である。帯板からなる下板５上に、板片からなる正面視ほぼ正方形支脚４が固着される。下板５は水平に置かれ、固定部材３とほぼ同じ長さにして平行配設される。他の構成は実施形態１と同様でその説明を省く。
このように構成した嵩上げ部材付き溝蓋は、実施形態１の効果に加え、空きスペースＳ１が大きくなるので、溝蓋１と側溝本体９の段差立壁９２２との間に入り込んだゴミ等の夾雑物が流水溝ｕへより一層流れ易くなっている。その一方で、下板５に傾斜がなく水平に置かれるので、雨水の力で夾雑物を同伴して側溝本体９内の流水溝ｕへ落し込む作用,効果は少し弱まる。
【００２４】
（５）実施形態５
本実施形態は図７ごとくの嵩上げ部材付き溝蓋である。実施形態４の嵩上げ部材付き溝蓋に、さらに補助排水機構６を備えたものになっている。図７は側溝本体９の上面開口に、補助排水機構６を備えた嵩上げ部材付き溝蓋で蓋をした状態下で、側溝本体９の一側の段差周り拡大斜視図を描いている。補助排水機構６は溝蓋１の長手方向両側に対で設けられる。
補助排水機構６はベース板６１と補助部材６２とを具備し、詳しくは、前記嵩上げ部材２をベース板６１が受け支え、且つ該ベース板６１を水平外方に延設し、さらにその延設したベース板６１上に前記側板１２と所定隙間εを設けて該側板１２と並行なる立板部６２ａを備えたものになっている。
本実施形態の補助排水機構６はベース板６１上に嵩上げ部材２を載せてこれを受け支えると共にベース板６１を水平外方へ張り出し、その張り出した先端で直角に屈曲して起立する背板６４が設けられる。嵩上げ部材２を受け支える部位を含めここから水平外方へ張り出す部分６１ａを含めたベース板６１が側溝本体９の段差受部９２１に載る。
背板６４は溝蓋１の側板１２に平行配設される。ここでの背板６４とベース板６１は側面視Ｌ字形の一体品である。背板６４には小孔６４ａ１が穿設されるが、この小孔６４ａ１を除けば背板６４とベース板６１の一体品は長手方向等断面形状にして側面視Ｌ字形となる。そして、背板６４と側板１２がつくる側面視Ｌ字形の内側部分で、図示のごとくほぼ長方形の板片からなる脚部６３が側板１２との対向面にあたる背板６４上に立設する。脚部６３は背板６４の長手方向に向け所定間隔をあけて複数立設する。該脚部４はまたベース板６１上に、側板１２と直交するよう起立させて固着される。さらに該側板１２と対向する脚部６３の端縁に、補助部材６２の立板部６２ａが該側板１２と対向して所定隙間εを確保し且つ並行なるようにして固着される。立板部６２ａは側板１２と同じ帯幅の帯板材からなる。溝蓋１の上面、立板部６２ａの上縁、脚部６３の上縁、背板６４の上縁は地表面GLにほぼ一致する。補助排水機構６の上面には上記隙間εの他、立板部６２ａと脚部６３と背板６４とで囲まれた空所Ｋが形成される。
図７中、地表下の菱形粒形は排水性に富む舗装材を簡略図示したものである。
【００２５】
このように構成した嵩上げ部材付き溝蓋は、実施形態４の作用,効果に加え、水はけが一層良好になると共に、雨水と一緒に運ばれるゴミや土等の夾雑物を円滑に側溝本体９の流水溝ｕへ送り込むことができる。溝蓋１の長手方向両サイドには実施形態１〜３と同様の隙間εが形成され、さらにその外側に立板部６２ａと脚部６３と背板６４とで囲まれた空所Ｋが形成されるので、雨水と一緒に運ばれる夾雑物を該空所Ｋを使って流し落とすこともできる。流れ落ちた夾雑物は雨水と一緒に溝蓋１下の嵩上げ部材２をくぐり抜け、側溝本体９の流水溝ｕへ送り込まれる。路面ＧＬの水はけが一段と良くなる。さらに、本実施形態は背板６４の小孔６４ａ１からも雨水が側溝内へ入り込むので、路面の水はけはより一層優れたものになる。
【００２６】
（６）実施形態６
本実施形態は図８,図９ごとくの嵩上げ部材付き溝蓋である。実施形態４の嵩上げ部材付き溝蓋に、さらに実施形態５とは別形態の補助排水機構６を備えたものになっている。
補助排水機構６はベース板６１と補助部材６２と脚部６３と背板６４を具備する。前記嵩上げ部材２をベース板６１が受け支え、且つ該ベース板６１を水平外方に延設し、さらにその延設したベース板６１上に前記側板１２と所定隙間εを設けて該側板１２と並行なる立板部６２ａを備える。具体的には、ベース板６１上に嵩上げ部材２を載せてこれを受け支えると共にベース板６１を水平外方へ張り出す。ベース板６１のその張り出した先端縁に背板６４が起立配設される。嵩上げ部材２下のベース板６１、及びここから水平外方へ張り出す部分６１ａを含めたベース板６１の水平部分が側溝本体９の段差受部９２１に載る。背板６４は溝蓋１の側板１２に平行配設される。
そして、背板６４とベース板６１とでつくる側面視Ｌ字形の内側部分で、図示のごとくほぼ長方形の板片からなる脚部６３が側板１２との対向面側の背板６４に立設する。該脚部６３は図９の背板６４の長手方向(紙面垂直方向)に向け所定間隔をあけて複数立設する。該脚部６３はベース板６１の張り出し部分６１ａにも固着し、側溝本体９に補助排水機構６が設置されたとき、脚部６３の上縁は地表近くまで達する。脚部６３は背板６４の上縁よりも上方へ突き出すよう設けられる。この突き出した脚部６３の上面に側面視冂字状の補助部材６２が覆着される。補助部材６２は平板部６２ｂと該平板部の両側で屈曲して垂下する立板部６２ａを備える長尺部材である。平板部６２ｂには長手方向に向けて断続的に通孔６２ｂ１が形成される。該通孔６２ｂ１を除けば、補助部材６２は長手方向等断面形状となる。補助部材６２の両立板部６２ａ間の距離が脚部６３の水平長さにほぼ等しく、所定間隔をあけて起立する複数の脚部６３に上から補助部材６２が被着され、図示のごとく取付けられる。溝蓋１に対向する側の立板部６２ａが側板１２と所定隙間εを確保し且つ並行なるようして固着される。一方、溝蓋１から遠い側の立板部６２ａにはその下縁と背板６４との間に図８ごとくの横長の細孔が設けられる。
斯かる嵩上げ部材２つき溝蓋１が側溝本体９の段差受部９２１に載置され、側溝の上面開口に蓋がされると、溝蓋１の上面と、補助部材６２の平板部６２ｂの上面とが地表面GLとほぼ一致する。補助排水機構６の上面では上記隙間εの他、平板部６２ｂに形成された通孔６２ｂ１が空所になる。
【００２７】
このように構成した嵩上げ部材付き溝蓋は、実施形態４の作用,効果に加え、水はけが一層良好になり、また雨水と一緒に運ばれるゴミや土等の夾雑物を円滑に側溝本体９の流水溝ｕへ送り込むことができる。溝蓋１の長手方向両側には実施形態１〜３と同様の隙間εが形成され、さらにその外側の平板部６２ｂに通孔６２ｂ１が形成されるので、該通孔からも雨水と一緒に運ばれる夾雑物を流し落とすことができる。流れ落ちた夾雑物は雨水と一緒に溝蓋１下の嵩上げ部材２をくぐり抜け、側溝本体９の流水溝ｕへ円滑に移送される。路面ＧＬの水はけが一段と進む。本実施形態は背板６４の小孔６４ａ１からも雨水が側溝内へ入り込むので、水はけはより一層優れたものになる。
加えて、実施形態５は立板部６２ａと脚部６３と背板６４とで囲まれた空所Ｋが形成されるが、この空所Ｋは歩道ではハイヒールの踵等が入り込まない大きさにしなければならず、また車道においては自転車等の車輪等が落ち込まない大きさにしなければならず、空所Ｋの形状,大きさに制限があった。これに対し、本実施形態の嵩上げ部材付き溝蓋は補助排水機構６の上面が補助部材６２の平板部６２ｂで覆われるので、空所Ｋの形状,大きさに制約を受けない。実施形態５に比べ補助排水機構６の形状の自由度が増す。この平板部６２ｂにハイヒールの踵等が入り込まない大きさの通孔６２ｂ１を必要個数設けるだけで、水はけを良好にできる。設計の自由度が増す。通孔６２ｂ１は図８ごとくの細長円孔を規則正しく配列すれば見栄えも優れたものになる。
【００２８】
尚、本発明においては前記実施形態に示すものに限られず、目的,用途に応じて本発明の範囲で種々変更できる。溝蓋１,嵩上げ部材２,補助排水機構６等の形状,大きさ,材質等は用途に合わせて適宜選択できる。
【図面の簡単な説明】
【００２９】
【図１】実施形態１の嵩上げ部材付き溝蓋ので、その全体斜視図である。
【図２】図１の正面図である。
【図３】(イ)が図１の嵩上げ部材２の部分拡大図で、(ロ),(ハ)が(イ)に代わる他態様図である。
【図４】実施形態２の嵩上げ部材付き溝蓋で、(イ)がその正面図、(ロ)が嵩上げ部材周りの部分拡大図である。
【図５】実施形態３の嵩上げ部材付き溝蓋で、(イ)がその正面図、(ロ)が嵩上げ部材周りの部分拡大図である。
【図６】実施形態４の嵩上げ部材付き溝蓋で、(イ)がその正面図、(ロ)が嵩上げ部材周りの部分拡大図である。
【図７】実施形態４で、側溝本体に本嵩上げ部材付き溝蓋で蓋をした側溝本体の一側の段差周りの部分拡大斜視図である。
【図８】実施形態５の嵩上げ部材付き溝蓋の斜視図である。
【図９】図８で、側溝本体に本嵩上げ部材付き溝蓋で蓋をした側溝本体の一側の段差周りの部分拡大図である。
【図１０】従来技術の説明図である。
【符号の説明】
【００３０】
１                溝蓋
１２              側板
２                嵩上げ部材
３                固定部材
３０              長板部
３０ａ            透孔
４                支脚
５                下板
６１              ベース板
６２              補助部材
６２ａ            立板部
ε                隙間(間)
Ｏ                スリット
【図１】
2007277832.tif 000003
【図２】
2007277832.tif 000004
【図３】
2007277832.tif 000005
【図４】
2007277832.tif 000006
【図５】
2007277832.tif 000007
【図６】
2007277832.tif 000008
【図７】
2007277832.tif 000009
【図８】
2007277832.tif 000010
【図９】
2007277832.tif 000011
【図１０】
2007277832.tif 000012